【事件の表示】
　平成５年特許願第２４５３６５号「放電灯点灯装置および照明装置」拒絶査定不服審判事件〔平成７年４月２１日出願公開、特開平７−１０６０９０号〕について、次のとおり審決する。
【結　論】
　本件審判の請求は、成り立たない。
【理　由】
１．手続の経緯・本願発明
　本願は、平成５年９月３０日の出願であって、その請求項１に係る発明は、平成１７年１月６日に手続補正された明細書及び図面の記載からみて、特許請求の範囲の請求項１に記載された次のとおりのものであると認める。（以下「本願発明」という。）
「ＰＷＭ調光信号を出力する調光設定手段と；
　充放電回路および平滑用コンデンサを有し、この充放電回路はＰＭＷ調光信号に基づき充放電し、前記調光設定手段のＰＷＭ調光信号のパルス出力に従い、ＰＷＭ調光信号のオンデューティが小さく放電ランプに対する出力が大きい部分では相対的に大きく、ＰＷＭ調光信号のオンデューティが大きく放電ランプに対する出力が小さい部分では相対的に小さくなるように直流電圧を出力し、当該直流電圧を前記平滑用コンデンサで平滑して出力する調光制御手段と；
　この調光制御手段の直流電圧に対応して放電ランプを調光可能に点灯させる放電灯点灯手段と；
　を具備したことを特徴とした放電灯点灯装置。」
　
２．引用刊行物
（１）引用刊行物１
　これに対して、原査定の拒絶の理由に引用された、本願出願前に頒布された特開平２−２８４３９１号公報（以下「引用刊行物１」という。）には、第１〜１７図とともに以下の事項が記載されている。
ア．「第１１図に示すように、トランジスタインバータ等よりなる高周波変換回路１を安定器として使用し、各蛍光灯照明器具２０には交流電源ＡＣの電圧をそのまま供給し、別途調光信号線ｌ２，ｌ３を配線して、調光回路４から高周波変換回路１の制御回路３に調光信号を供給し、蛍光灯照明器具２０を調光回路４における調光操作部（例えば可変抵抗器ＶＲ）の操作に応じて任意に調光するという、４線式の調光システムが提案されている。・・・（中略）・・・
　第１２図はこのような高周波変換回路を用いた調光システムの具体回路図である。」（第２頁左上欄第１６行〜右上欄第１２行）
イ．「調光回路４から制御回路３に供給される調光信号としては、周波数が一定で、オン・デューティ（１周期に占めるオン時間の割合）が可変とされた信号が用いられる。第１３図は、調光回路４に設けられた可変抵抗ＶＲの操作量と、調光回路４から出力される調光信号のオン・デューティとの関係を示している。つまり、調光用の可変抵抗ＶＲを最小値と最大値の間で変化させると、調光信号のオン・デューティは０％〜１００％の範囲で直線的に変化する。」（第３頁右上欄第１４行〜左下欄第３行）
ウ．「第１２図の装置における制御回路３は、上述のようなオン・デューティが可変とされた調光信号を調光回路４から供給されて、調光制御を行うものである。・・・（中略）・・・したがって、単安定マルチバイブレータＩＣ１は、トランジスタＱ３のオン期間を決めるためのタイマー回路として動作する。単安定マルチバイブレータＩＣ１の時定数設定用の抵抗Ｒ５とコンデンサＣ４の接続点には、ダイオードＤ３及び抵抗Ｒ６を介してオペアンプＩＣ２の出力が接続されている。オペアンプＩＣ２は反転入力端子を出力端子に接続されたインピーダンス変換器であり、非反転入力端子に印加されたコンデンサＣ５の電圧を低インピーダンス化して出力する。コンデンサＣ５には電荷放電用の抵抗Ｒ７が並列接続されており、オペアンプＩＣ３の出力電圧により充電される。オペアンプＩＣ３は反転入力端子を出力端子に接続されたインピーダンス変換器であり、非反転入力端子に印加されたコンデンサＣ６の電圧を低インピーダンス化して出力する。コンデンサＣ６は、トランジスタＱ８，Ｑ９を含むカレントミラー回路８からの定電流により充電され、両端に並列接続されたトランジスタＱ６がオンしたときに、電荷を放電される。・・・（中略）・・・トランジスタＱ６のベースには、直流電源Ｅ２の電圧を抵抗Ｒ１０，Ｒ９により分圧して得られた電圧により順バイアスが与えられる。抵抗Ｒ９の両端にはトランジスタＱ７が並列接続されており、トランジスタＱ７が調光回路４の出力によりオンされたときには、トランジスタＱ６の順バイアスは消失し、トランジスタＱ６はオフする。このとき、コンデンサＣ６はカレントミラー回路８からの定電流により充電され、その充電電圧Ｖ１は直線的に上昇する。コンデンサＣ６の充電電圧Ｖ１の波形は、周波数が一定で、電圧上昇期間が調光信号におけるオン時間幅に等しい三角波となる。したがって、調光信号におけるオン時間幅が長くなるにつれて、コンデンサＣ６の充電電圧Ｖ１のピーク値は高くなる。オペアンプＩＣ２，ＩＣ３とコンデンサＣ５及び抵抗Ｒ７は、コンデンサＣ６の充電電圧Ｖ１のピーク保持回路を構成しており、その出力電圧Ｖ２は、コンデンサＣ６の充電電圧Ｖ１のピークの直流電圧となる。このため、出力電圧Ｖ２は、調光回路４の調光信号におけるオン・デューティに比例して、直線的に変化する電圧となる。また、抵抗Ｒ６は制御抵抗であり、上記出力電圧Ｖ２により抵抗Ｒ５と並列的に電流経路を形成し、出力電圧Ｖ２の上昇に応じてコンデンサＣ４の充電電流を増加させて、単安定マルチバイブレータＩＣ１の時定数を小さく制御するものである。
［発明が解決しようとする課題］
　第１２図に示す装置を用いて照明負荷２の光出力を制御した場合における調光回路４からの調光信号のオン・デューティと、光出力（ランプ電流）との関係を第１４図に示す。」（第３頁左下欄第４行〜第４頁左下欄第１行）
エ．第１４図にはオン・デューティが小さいとき、光出力が大きく、オン・デューティが大きいとき、光出力が小さいグラフが図示されている。
オ．コンデンサＣ６に係る動作電圧について、
　「トランジスタＱ６のベースには、直流電源Ｅ２の電圧を抵抗Ｒ１０，Ｒ９により分圧して得られた電圧により順バイアスが与えられる。抵抗Ｒ９の両端にはトランジスタＱ７が並列接続されており、トランジスタＱ７が調光回路４の出力によりオンされたときには、トランジスタＱ６の順バイアスは消失し、トランジスタＱ６はオフする。このとき、コンデンサＣ６はカレントミラー回路８からの定電流により充電され、」（ウ．）なる記載及び第１２図の接続態様からみて、トランジスタＱ７が調光回路４の出力によりオンされたとき、トランジスタＱ６はオフして、コンデンサＣ６は定電流により充電されるものであり、調光回路４の出力がなくなると、トランジスタＱ６のベースに順バイアスが与えられ、トランジスタＱ６はオンするから、コンデンサＣ６は放電するものであると認められる。そして、この動作により、「コンデンサＣ６の充電電圧Ｖ１の波形は、周波数が一定で、電圧上昇期間が調光信号におけるオン時間幅に等しい三角波となる」（ウ．）ことは明らかである。
　すると、トランジスタＱ７、トランジスタＱ６、コンデンサＣ６等からなる回路は、トランジスタＱ７の調光回路４の出力によるオン・オフに基づいてコンデンサＣ６を充放電するものといえる。
　また、上記回路に入力される調光回路４の出力は、「調光回路４から制御回路３に供給される調光信号としては、周波数が一定で、オン・デューティ（１周期に占めるオン時間の割合）が可変とされた信号が用いられる。」（イ．）及び「調光回路４から出力される調光信号のオン・デューティとの関係」（イ．）との記載から、オン・デューティを可変とされた調光信号であるといえ、「調光信号におけるオン時間幅が長くなるにつれて、コンデンサＣ６の充電電圧Ｖ１のピーク値は高くなる。」（ウ．）との記載から、オン・デューティが大きくなるとコンデンサＣ６の三角波のピーク電圧は高くなるものといえ、その電圧の絶対値は大きく、大きな三角波である。一方、オン・デューティが小さくなるとコンデンサＣ６の三角波のピーク電圧は低くなるものであって、その絶対値は小さく、小さな三角波である。
　一方、「調光信号のオン・デューティと、光出力（ランプ電流）との関係を第１４図に示す。」（ウ．）との記載及び上記エ．の図示内容によると、オン・デューティが小さいとき光出力が大きく、ランプへの出力といえるランプ電流も大きく、オン・デューティが大きいとき光出力が小さく、ランプ電流も小さいものである。
　これらを纏めると、トランジスタＱ７、トランジスタＱ６、コンデンサＣ６等からなる回路は、オン・デューティを可変とされた調光信号によりコンデンサＣ６を充放電するものであって、調光信号のオン・デューティが小さいとき、ランプ電流が大きく、出力する三角波は大きく、ピーク電圧は高い。また、調光信号のオン・デューティが大きいとき、ランプ電流が小さく、出力する三角波は大きく、ピーク電圧も低いものである。
カ．上記ア．の記載事項並びに第１１及び１２図を参照すると、各蛍光灯照明器具２０は、高周波変換回路１を安定器として蛍光灯を点灯するものであって、調光信号線ｌ２，ｌ３を介して調光回路４からの調光信号を高周波変換回路１の制御回路３に供給して、調光するものといえる。さらに、「第１２図の装置における制御回路３は、上述のようなオン・デューティが可変とされた調光信号を調光回路４から供給されて、調光制御を行うものである。・・・（中略）・・・したがって、単安定マルチバイブレータＩＣ１は、トランジスタＱ３のオン期間を決めるためのタイマー回路として動作する。単安定マルチバイブレータＩＣ１の時定数設定用の抵抗Ｒ５とコンデンサＣ４の接続点には、ダイオードＤ３及び抵抗Ｒ６を介してオペアンプＩＣ２の出力が接続されている。」（ウ．）及び「抵抗Ｒ６は制御抵抗であり、上記出力電圧Ｖ２により抵抗Ｒ５と並列的に電流経路を形成し、出力電圧Ｖ２の上昇に応じてコンデンサＣ４の充電電流を増加させて、単安定マルチバイブレータＩＣ１の時定数を小さく制御するものである。」（ウ．）なる記載を合わせみると、ダイオードＤ３、抵抗Ｒ６や単安定マルチバイブレータＩＣ１及びこれに付随する回路、並びに安定器としての高周波変換回路１等は、オペアンプＩＣ２の出力電圧、つまりピーク保持回路の出力電圧に応じて、蛍光灯を調光点灯するものであるといえる。
　上記ア．〜ウ．の記載事項及び第１１〜１４図の図示内容並びに上記オ．及びカ．の検討した事項を総合すると、引用刊行物１には、以下の発明（以下「引用発明」という。）が記載されていると認められる。
「周波数が一定で、オン・デューティが可変とされた調光信号を供給する調光回路４と、
　コンデンサＣ６を充放電するトランジスタＱ７、トランジスタＱ６、コンデンサＣ６等からなる回路、並びにオペアンプＩＣ２，ＩＣ３とコンデンサＣ５及び抵抗Ｒ７からなるピーク保持回路を有し、
　コンデンサＣ６を充放電するトランジスタＱ７、トランジスタＱ６、コンデンサＣ６等からなる回路は、オン・デューティを可変とされた調光信号によりコンデンサＣ６を充放電し、
調光信号のオン・デューティが小さくランプ電流が大きいときはピーク電圧が低く小さい三角波を出力し、調光信号のオン・デューティが大きくランプ電流が小さいときはピーク電圧が高く大きい三角波を出力し、
ピーク保持回路は当該三角波をコンデンサＣ５にオペアンプＩＣ３の出力電圧により充電し並列接続された抵抗Ｒ７で電荷放電することにより出力電圧Ｖ２を直流電圧として出力するもので、出力電圧Ｖ２は調光信号におけるオン・デューティに比例して変化するものであって、
　このピーク保持回路の出力電圧Ｖ２に応じて、蛍光灯を調光点灯する、ダイオードＤ３、抵抗Ｒ６や単安定マルチバイブレータＩＣ１及びこれに付随する回路、並びに安定器としての高周波変換回路１等と、
　を具備した蛍光灯照明器具２０。」
　
（２）引用刊行物２
　同じく引用された、本願出願前に頒布された特開昭６４−４５０９４号公報（以下「引用刊行物２」という。）には、第１〜７図とともに以下の事項が記載されている。
ア．「照明器具において蛍光灯などの調光を行う場合、例えば可変抵抗の設定値に合わせて調光を行うことが知られている。その場合、可変抵抗の設定による電圧の変化はリニアであり、調光信号もその設定に応じてリニアに変化し、リニアな調光が行われる。しかし、人間の視感度特性は、明るい時は鈍く暗い光に対しては鋭くなる特性であり、上記のリニアに変化する調光は適当ではない。そこで、コンデンサの充放電波形を利用して人間の視感度特性に合わせた調光を行うことが提案されている。
　第６図はその調光装置の概略の回路図である。図中、１は回路電源と接続された抵抗Ｒ１とコンデンサＣ１から成る充電回路で、コンパレータ２，３にその充放電信号を入力している。Ｒ２〜Ｒ４は回路電源の電圧（Ｖｃｃ）を分圧するための抵抗で、各々の分圧点の信号を基準信号として各コンパレータ２，３に入力している。
　上記各コンパレータ２，３の出力側はそれぞれＤタイプフリップ・フロップ４のリセット(Reset)端子及びセット(Set)端子に接続されており、このフリップ・フロップ４のＱ＾出力は抵抗Ｒ５を介して上記充電回路１の充放電用スイッチング素子であるトランジスタＱ１のベースに与えられるようになっている。つまり、トランジスタＱ１のコレクタが抵抗Ｒ６を介して抵抗Ｒ１とコンデンサＣ１の接続点であるＡ点に接続されている。
　上記構成の調光回路において、抵抗Ｒ２はコンパレータの仕様上その端子電圧ＶＲ２がＶＲ２＜（Ｖｃｃ−１．５ｖ）となるように選定されている。電源投入後フリップ・フロップ４のリセット入力信号はＬ（低レベル）、セット入力信号はＨ（高レベル）となり、Ｑ＾出力はＬとなる。そして、充電回路ｌのコンデンサＣ１に電荷がチャージされると、上記リセット入力信号はＨ、セット入力信号はＬとなり、フリップ・フロップ４のＱ＾出力はＨとなってトランジスタＱ１がＯＮする。このトランジスタＱ１がＯＮするとコンデンサＣ１の電荷が放電してＡ点の電位がＬになり、再びリセット入力信号はＬ、セット入力信号はＨとなり、Ｑ＾出力がＬとなってトランジスタＱ１はＯＦＦする。この動作を繰り返すことにより、充電回路１から調光に必要な充放電信号が得られ、図外の可変抵抗の設定信号とその充放電信号を比較して視感度特性に合った調光信号を得ることができる。
　第７図は上述したＡ点の充放電信号波形及び調光信号波形を示したものである。Ａ点の信号波形（イ）は抵抗Ｒ１とコンデンサＣ１により時定数が決定され、電源の電圧Ｖｃｃに達するまでコンデンサＣ１が充電される。その後トランジスタＱ１がＯＮすると瞬時にコンデンサＣ１が放電され、次いでトランジスタＱ１がＯＦＦして再び充電が行われる。しかし、実際の調光基本信号波形（ロ）は、本来（ハ）の点線のようにＶｃｃの電位まで充電カーブが得られるはずであるが、コンパレータ２，３の特性上Ｖｃｃ−１．５ｖの電位までしか動作しないので、ほとんどリニアな三角波となる。そして、この調光基本信号と図外の可変抵抗によりＶｃｃ−１．５ｖ〜０ｖの範囲で設定された信号とを別のコンパレータにより比較し、その結果（ニ）に示すような調光信号波形を得ている。このように、充放電信号を用いて調光信号を得ているので、明るい時は調光の変化率が高くなり、暗くなるにつれて変化率が低くなり、視感度に合わせた調光を行うことができる。
〔発明が解決しようとする問題点〕
　ところで、上記のような調光装置にあっては、充電回路の電源を直接回路電源（電圧Ｖｃｃ）から得ているため、前述のように充放電信号がＶｃｃの電圧に達するまでコンデンサＣ１の充電が行われるが、一方ではコンパレータのリファレンス電圧が０〜Ｖｃｃ−１．５ｖの範囲内でしか動作しないので、充放電信号波形の傾きが小さくなるところ（飽和する近く）では使用不可能となり、充放電信号のメリットが十分に生かされないという問題点があった。」（第１頁右欄第７行〜第２頁右下欄第４行。なお「Ｑ＾」はＱの反転出力を示す。）
　
３．対比・判断
　本願発明と引用発明とを対比すると、後者の「調光回路４」は、その機能・構成からみて、前者の「調光設定手段」に相当し、以下同様に、後者の「コンデンサＣ６を充放電するトランジスタＱ７、トランジスタＱ６、コンデンサＣ６等からなる回路」は前者の「充放電回路」に、後者の「蛍光灯」は前者の「放電灯」及び「放電ランプ」に、後者の「蛍光灯を調光点灯する、ダイオードＤ３、抵抗Ｒ６や単安定マルチバイブレータＩＣ１及びこれに付随する回路、並びに安定器としての高周波変換回路１等」は前者の「放電ランプを調光可能に点灯させる放電灯点灯手段」に、後者の「蛍光灯照明器具２０」は前者の「放電灯点灯装置」にそれぞれ相当する。
　また、後者の「周波数が一定で、オン・デューティが可変とされた調光信号」は前者の「ＰＷＭ調光信号」に相当するから、その調光信号は前者と同様にオンデューティを有する「パルス出力」といえる。したがって、後者の「周波数が一定で、オン・デューティが可変とされた調光信号を供給する調光回路４」は前者の「ＰＷＭ調光信号を出力する調光設定手段」に相当し、後者の「コンデンサＣ６を充放電するトランジスタＱ７、トランジスタＱ６、コンデンサＣ６等からなる回路は、オン・デューティを可変とされた調光信号によりコンデンサＣ６を充放電」する態様は、その動作からみて、前者の「この充放電回路はＰＭＷ調光信号に基づき充放電」する態様に相当する。
　さらに、後者の「コンデンサＣ６を充放電するトランジスタＱ７、トランジスタＱ６、コンデンサＣ６等からなる回路、並びにオペアンプＩＣ２，ＩＣ３とコンデンサＣ５及び抵抗Ｒ７からなるピーク保持回路」は、調光信号によりそのオン・デューティに応じた出力電圧Ｖ２を直流電圧として出力するものであって、「出力電圧Ｖ２は調光信号におけるオン・デューティに比例して変化するものであ」り、その出力電圧Ｖ２によりに応じて「蛍光灯を調光点灯する、ダイオードＤ３、抵抗Ｒ６や単安定マルチバイブレータＩＣ１及びこれに付随する回路、並びに安定器としての高周波変換回路１等」を調光点灯するものであるから、前者の「調光制御手段」に対応し、後者における放電灯点灯手段も「この調光制御手段の直流電圧に対応して」放電ランプを調光可能に点灯させるものであるといえる。
　そして、「充放電回路」について、後者は「調光信号のオン・デューティが小さくランプ電流が大きいときはピーク電圧が低く小さい三角波を出力し、調光信号のオン・デューティが大きくランプ電流が小さいときはピーク電圧が高く大きい三角波を出力」するものであるから、前者の「調光設定手段のＰＷＭ調光信号のパルス出力に従い、ＰＷＭ調光信号のオンデューティが小さく放電ランプに対する出力が大きい部分では相対的に大きく、ＰＷＭ調光信号のオンデューティが大きく放電ランプに対する出力が小さい部分では相対的に小さくなるように直流電圧を出力」することとは、「調光設定手段のＰＷＭ調光信号のパルス出力に従」う点で共通し、さらに、本願発明の出力も本願の明細書の段落【００２８】に記載されるように三角波であることを考慮すると、「ＰＷＭ調光信号のオンデューティが小さく放電ランプに対する出力が大きい部分」及び「ＰＷＭ調光信号のオンデューティが大きく放電ランプに対する出力が小さい部分」となる関係の「電圧を出力」する点で共通する。
　そうすると、両者は、「ＰＷＭ調光信号を出力する調光設定手段と；
　充放電回路を有し、この充放電回路はＰＭＷ調光信号に基づき充放電し、前記調光設定手段のＰＷＭ調光信号のパルス出力に従い、ＰＷＭ調光信号のオンデューティが小さく放電ランプに対する出力が大きい部分、及びＰＷＭ調光信号のオンデューティが大きく放電ランプに対する出力が小さい部分となる関係の電圧を出力する、調光制御手段と；
　この調光制御手段の直流電圧に対応して放電ランプを調光可能に点灯させる放電灯点灯手段と；
　を具備した放電灯点灯装置。」である点で一致し、以下の点で相違する。
　
相違点Ａ：充放電回路について、本願発明は「ＰＷＭ調光信号のオンデューティが小さく放電ランプに対する出力が大きい部分では相対的に大きく、ＰＷＭ調光信号のオンデューティが大きく放電ランプに対する出力が小さい部分では相対的に小さくなるように直流電圧を出力」するのに対して、引用発明は、ＰＷＭ調光信号のオンデューティが小さく放電ランプに対する出力が大きい部分では、「ピーク電圧が高く大きい三角波」を出力し、ＰＷＭ調光信号のオンデューティが大きく放電ランプに対する出力が小さい部分では、「ピーク電圧が低く小さい三角波」を出力している点。
相違点Ｂ：本願発明は、調光制御手段が「充放電回路および平滑用コンデンサを有し」、充放電回路が出力する「直流電圧を前記平滑用コンデンサで平滑して出力する」のに対して、引用発明は、調光制御手段が充放電回路および「オペアンプＩＣ２，ＩＣ３とコンデンサＣ５及び抵抗Ｒ７からなるピーク保持回路を有し」、「ピーク保持回路は当該三角波をコンデンサＣ５にオペアンプＩＣ３の出力電圧により充電し並列接続された抵抗Ｒ７で電荷放電することにより出力電圧Ｖ２を直流電圧として出力するもの」である点。
　
　そこで、上記相違点について検討する。
（１）相違点Ａについて
ア．充放電回路について、本願発明は、「ＰＷＭ調光信号のオンデューティが小さく放電ランプに対する出力が大きい部分」では、「相対的に大きく」「直流電圧を出力」するものである。また逆に「オンデューティが大きく放電ランプに対する出力が小さい部分では」「相対的に小さくなるように」「直流電圧を出力」するものである。
　一方、引用発明は、オンデューティが小さく放電ランプに対する出力が大きい部分部分で、「ピーク電圧が低く小さい三角波」の電圧を出力するものであるから、引用発明は上記部分で、上記部分以外に比して、相対的に、大きい電圧を出力するものである。また逆に、「オンデューティが大きく放電ランプに対する出力が小さい部分では」、他の部分に比して相対的に小さい電圧を出力するものといえる。
　したがって、ＰＷＭ調光信号のオンデューティが小さく、放電灯点灯手段の放電ランプに対する出力が大きくしたい時、出力する電圧を、本願発明は相対的に大きい直流電圧とするのに対して、引用発明は相対的に小さい三角波とし、逆にＰＷＭ調光信号のオンデューティが大きく、放電灯点灯手段の放電ランプに対する出力が小さくしたい時、出力する電圧を、本願発明は相対的に小さい直流電圧とするのに対して、引用発明は相対的に大きい三角波とするものといえる。
　そして、本願発明は、充放電回路の出力する直流電圧について、相対的に大きくまたは小さくなるようにするというのみであって、その変化率について限定するものではなく、かつ充放電回路の具体的な構成を限定するものでもないこと、また本願発明の充電回路から出力される直流電圧は上記するように三角波であり、引用発明の三角波も一方の極にのみ電圧を有するものであって、両者ともにその後その電圧の大きさにより変化するより平坦な直流電圧として放電灯点灯手段を調光するものであることからみて、上記相違点Ａに関しては、放電灯点灯手段に入力する直流電圧と放電灯点灯手段の放電ランプに対する出力との関係が逆であることに起因して、ＰＷＭ調光信号のオンデューティと出力する電圧が逆となっているものといえるものであり、かつそのことに格別の作用・効果も認められないので、引用発明の充放電回路を、具体的な回路構成に応じて、相違点Ａに係る本願発明の構成とすることは、当業者が適宜なし得たことと認められる。オンデューティが小さいとき、コンデンサの充電電圧が高くなる充放電回路を有する放電灯点灯装置は、例えば特開平２−２８４３９３号公報や特開平５−９４８９４号公報、特開平３−１９８６６６号公報（特に第６図参照）、特開平３−１９８６６５号公報（特に第７図参照）等に示されるように周知であり、これらも直流電圧を出力するものであることからも、上記のように当業者が容易になし得たものといわざるを得ない。
　なお、本願発明の相違点Ａに係る構成について、本願の明細書及び図面をみても、その実施例として、ＰＷＭ調光信号のオンデューティが小さいとき、充放電回路の出力する直流電圧が高く、つまりＶｃｃに近い大きい電圧を出すものが記載されているのであるから、請求項１に記載のとおり、ＰＷＭ調光信号のオンデューティが小さい部分が、他の部分に対して相対的に電圧が大きいと解し得るものである。
イ．さらに上記相違点Ａについて、たとえ変化率を変えるものであるとしても、上記引用刊行物２には、人間の視感度特性に合わせて、明るい時は調光の変化率が高くなり、暗くなるにつれて変化率が低くなる調光を行うために、コンデンサの充放電波形の飽和を利用することが記載されているのであって、引用発明は複数の「各蛍光灯照明器具２０」を一斉に調光信号により照明器具を調光するものでもあり（第４頁左下欄第１３〜１５行、第１１図参照）、その調光操作量と調光信号のオンデューティは第１３図のようなものであるので、これを人間の視感度特性に合わせるように、引用刊行物２に記載の事項を適用して、引用発明の充放電回路の入力に対する出力を、そのコンデンサの充放電特性を利用して本願発明のようにすることは、引用発明には既に蛍光灯照明器具２０に充放電回路が備えられるものであること、また、引用発明は多くの放電灯点灯装置を一斉に調光信号により調光するものであるから汎用性を求めてランプや点灯回路の種類に影響されないように一般的な調光信号することやランプや点灯回路毎の種類やばらつき対応して各点灯回路毎に調整出来るようにすることも普通に想到すること、さらに、上記特開平２−２８４３９３号公報（特に第３図参照）には点灯装置に非直線性を設けることが示されているように何処で変化率を変えるように制御するかも格別ではないといえることから、当業者が格別の困難性を要することなくなし得たこととである。
　上記特開平５−９４８９４号公報や特開平２−２８４３９３号公報では、本願発明と同様に、調光信号のパルス出力がない期間に一定電圧の電圧源から抵抗を介してコンデンサに充電し、その電圧が高電位の時に放電ランプへの出力を増大させるものであるから、本願発明と同様の作用をなすものであり、このことからも、引用発明の充電回路に引用刊行物２に記載の事項を適用することは容易である。
　なお、引用刊行物１には、高周波変換回路を有する照明負荷制御装置の、調光信号とその光出力との非直線性に対して、調光信号を出力する調光手段にこれを補償する特性を持たせるものも記載されているが、引用刊行物２に記載の事項は人間の視感度特性に合わせるものであって、蛍光灯照明器具２０の充放電回路に視感度特性に対応した補償特性を持たせることを阻害するものではない。
　
（２）相違点Ｂについて
　本願発明の「平滑用コンデンサ」は充放電回路の三角波の直流電圧を平滑して出力するものである。
　一方、引用発明の「ピーク保持回路は当該三角波をコンデンサＣ５にオペアンプＩＣ３の出力電圧により充電し並列接続された抵抗Ｒ７で電荷放電することにより出力電圧Ｖ２を直流電圧として出力するもの」であって、出力電圧Ｖ２は調光信号におけるオン・デューティに比例して変化するものである。
　そうすると、本願発明の「平滑用コンデンサ」と引用発明のピーク保持回路とは、ともに三角波をより平坦な直流電圧に変換し、放電灯点灯手段に出力するものであって、その直流電圧は、調光信号のオン・デューティの対応して変化するものである。
　そして、引用発明の三角波も、２．（１）オ．で検討したように、周波数が一定で、電圧上昇期間が調光信号におけるオン時間幅に等しい三角波なのであるから、ピーク値とともに平均値も変化することも当業者にとって明らかであるので、引用発明の「ピーク保持回路」に代えて、信号処理において、直流電圧に変換する手段として周知である積分・平滑回路を用いることは、当業者が容易になし得ることと認められる。より平坦な直流電圧となるように平滑化手段をもちいることに格別の困難性は認められない。
　
　そして上記相違点Ａ及びＢを合わせ考えても、本願発明の効果が格別であるとはいえない。
　
　したがって、本願発明は、周知の事項を考慮すれば、引用発明及び引用刊行物２に記載の事項に基いて、当業者が容易に発明をすることができたものといえる。
　
４．むすび
　以上のように、本願発明は、引用発明及び引用刊行物２に記載の事項に基いて当業者が容易に発明をすることができたものであるから、特許法第２９条第２項の規定により特許を受けることができない。そうすると、本願の他の請求項に係る発明について検討するまでもなく、本願は拒絶すべきものである。
　よって、結論のとおり審決する。